(57)【要約】  エレベーター装置は、閉じ込め検出部（３０）、動作制御部（３２）、端末検出部（３１）、及び端末制御部（３３）を備える。動作制御部（３２）は、閉じ込め検出部（３０）が閉じ込めの発生を検出すると、閉じ込めを解消するための解消動作を行う。端末制御部（３３）は、閉じ込め検出部（３０）が閉じ込めの発生を検出すると、端末検出部（３１）が検出した携帯端末（２０）に抑制動作を行わせる。抑制動作は、通話のための発信操作を躊躇させるための特定の動作である。
2019198157.tif 000002
【特許請求の範囲】
【請求項１】
閉じ込めの発生を検出する第１検出手段と、
前記第１検出手段が閉じ込めの発生を検出すると、閉じ込めを解消するための第１動作を行う動作制御手段と、
通信可能な携帯端末を検出する第２検出手段と、
前記第１検出手段が閉じ込めの発生を検出すると、前記第２検出手段が検出した携帯端末に第２動作を行わせる端末制御手段と、
を備え、
前記第２動作は、通話のための発信操作を躊躇させるための特定の動作であるエレベーター装置。
【請求項２】
前記端末制御手段は、前記第２動作として、前記第２検出手段が検出した携帯端末の第１スピーカから音声を連続的に出力させる請求項１に記載のエレベーター装置。
【請求項３】
前記第１動作が行われても閉じ込めが解消しない場合に、外部の監視センターとの間で通信を開始する通信手段を更に備えた請求項１又は請求項２に記載のエレベーター装置。
【請求項４】
前記端末制御手段は、前記通信手段が前記監視センターの通信を開始する際に前記第２動作を終了させる請求項３に記載のエレベーター装置。
【請求項５】
前記第１動作が行われても閉じ込めが解消しない場合に、前記第２検出手段が検出した携帯端末を呼出し、当該携帯端末と外部の監視センターとの間で音声通信を開始させる通信手段を更に備えた請求項１又は請求項２に記載のエレベーター装置。
【請求項６】
前記端末制御手段は、前記第２検出手段が検出した携帯端末を前記通信手段が呼出す際に前記第２動作を終了させる請求項５に記載のエレベーター装置。
【請求項７】
前記第１検出手段は、人がかごに閉じ込められたことを検出し、
前記かごは、第２スピーカを備え、
前記通信手段は、前記第２検出手段が検出した携帯端末と前記監視センターとの間で音声通信が開始されると、前記監視センターからの音声を前記第２スピーカから出力させる請求項５又は請求項６に記載のエレベーター装置。
【請求項８】
エレベーターのかごの中で監視装置と通信可能な通信手段と、
閉じ込めが発生した際に前記監視装置が出力する特定の信号を前記通信手段が受信すると、通話のための発信操作を躊躇させるための特定の動作を行う動作制御手段と、
を備えた携帯端末。
【請求項９】
スピーカを更に備え、
前記動作制御手段は、前記特定の動作として、前記スピーカから音声を連続的に出力させる請求項８に記載の携帯端末。
【請求項１０】
前記かごの呼びを入力するための呼び入力手段を更に備えた請求項８又は請求項９に記載の携帯端末。
【請求項１１】
表示器と、
難聴モードに設定するためのモード設定手段と、
を更に備え、
前記動作制御手段は、前記モード設定手段によって難聴モードに設定されている場合に、前記特定の動作が開始された後に前記監視装置を介して音声通信が開始されると、音声信号の入力に合わせて変動する波形を前記表示器に表示させる請求項８から請求項１０の何れか一項に記載の携帯端末。
【請求項１２】
前記動作制御手段は、前記モード設定手段によって難聴モードに設定されている場合に、前記特定の動作が開始された後に前記監視装置を介して音声通信が開始されると、ボタン操作によって音声信号を送信するための表示を前記表示器に行う請求項１１に記載の携帯端末。
【発明の詳細な説明】
【技術分野】
【０００１】
この発明は、エレベーター装置と携帯端末とに関する。
【背景技術】
【０００２】
特許文献１に、エレベーター装置が記載されている。特許文献１に記載されたエレベーター装置では、かごが異常停止すると、ドアの開閉動作が行われる。そして、ドアの開閉動作が行われても異常が解消されなければ、監視センターへの通報が行われる。
【先行技術文献】
【特許文献】
【０００３】
【特許文献１】日本特開平９−７７４１２号公報
【発明の概要】
【発明が解決しようとする課題】
【０００４】
特許文献１に記載されたエレベーター装置では、かごが異常停止すると、ドアの開閉動作が行われる。ドアが開閉されることによって閉じ込めが解消されれば、乗客は、最寄り階の乗場でかごから降りることができる。ドアの開閉動作によって閉じ込めが解消されなくても、この動作が終了すれば監視センターへの通報が行われる。【０００５】
しかし、特許文献１に記載されたエレベーター装置では、閉じ込めが発生してから監視センターへの通報が行われるまでに時間がかかる。このため、監視センターへの通報が行われる前に、乗客がレスキュー隊等を呼んでしまうことがあった。【０００６】
この発明は、上述のような課題を解決するためになされた。この発明の目的は、閉じ込めが発生した場合に、閉じ込めが発生した直後にレスキュー隊等への連絡が行われることを抑制できるエレベーター装置を提供することである。この発明の他の目的は、エレベーターで閉じ込めが発生した場合に、閉じ込めが発生した直後にレスキュー隊等への連絡が行われることを抑制できる携帯端末を提供することである。
【課題を解決するための手段】
【０００７】
この発明に係るエレベーター装置は、閉じ込めの発生を検出する第１検出手段と、第１検出手段が閉じ込めの発生を検出すると、閉じ込めを解消するための第１動作を行う動作制御手段と、通信可能な携帯端末を検出する第２検出手段と、第１検出手段が閉じ込めの発生を検出すると、第２検出手段が検出した携帯端末に第２動作を行わせる端末制御手段と、を備える。第２動作は、通話のための発信操作を躊躇させるための特定の動作である。【０００８】
この発明に係る携帯端末は、エレベーターのかごの中で監視装置と通信可能な通信手段と、閉じ込めが発生した際に監視装置が出力する特定の信号を通信手段が受信すると、通話のための発信操作を躊躇させるための特定の動作を行う動作制御手段と、を備える。
【発明の効果】
【０００９】
この発明によれば、エレベーターで閉じ込めが発生した場合に、閉じ込めが発生した直後にレスキュー隊等への連絡が行われることを抑制できる。
【図面の簡単な説明】
【００１０】
【図１】実施の形態１におけるエレベーター装置の例を示す図である。
【図２】図１に示すエレベーター装置の要部を示す図である。
【図３】携帯端末の例を示す図である。
【図４】監視装置の動作例を示すフローチャートである。
【図５】監視装置の動作例を示すフローチャートである。
【図６】監視装置の動作例を示すフローチャートである。
【図７】携帯端末の動作例を示すフローチャートである。
【図８】携帯端末の動作例を示すフローチャートである。
【図９】携帯端末の他の動作例を示すフローチャートである。
【図１０】表示器の表示例を示す図である。
【図１１】監視装置のハードウェア資源の例を示す図である。
【図１２】監視装置のハードウェア資源の他の例を示す図である。
【発明を実施するための形態】
【００１１】
添付の図面を参照し、本発明を説明する。重複する説明は、適宜簡略化或いは省略する。各図において、同一の符号は同一の部分又は相当する部分を示す。
【００１２】
実施の形態１．
図１は、実施の形態１におけるエレベーター装置の例を示す図である。図２は、図１に示すエレベーター装置の要部を示す図である。エレベーター装置は、例えばかご１及びつり合いおもり２を備える。かご１は、昇降路３を上下に移動する。つり合いおもり２は、昇降路３を上下に移動する。かご１及びつり合いおもり２は、主ロープ４によって昇降路３に吊り下げられる。
【００１３】
主ロープ４は、巻上機５の駆動綱車６に巻き掛けられる。制御装置７は、巻上機５等の機器を制御する。例えば、制御装置７は、駆動綱車６の回転及び停止を制御する。駆動綱車６の回転に応じてかご１は移動する。即ち、巻上機５は、かご１を駆動する駆動装置の一例である。制御装置７に、監視装置８が接続される。監視装置８は、外部の監視センター４０と通信する。例えば、監視装置８は、監視センター４０とデータ通信を行う。監視装置８は、監視センター４０と音声通信を行う。監視装置８が外部の監視センター４０と通信を行う方式は、如何なる方式であっても良い。
【００１４】
かご１は、例えばドア１０、モータ１１、表示器１２、マイク１３、及びスピーカ１４を備える。
【００１５】
ドア１０は、かご１に形成された出入り口を開閉する。ドア１０は、モータ１１によって駆動される。モータ１１は、制御装置７によって制御される。表示器１２は、かご１に乗っている人に情報を報知する手段の一例である。マイク１３及びスピーカ１４は、かご１に備えられたインターホンを構成する。かご１に乗っている人は、マイク１３及びスピーカ１４を使用することにより、例えば監視センター４０にいるオペレータと会話することができる。
【００１６】
図２に示す携帯端末２０は、乗客の所有物である。図２は、乗客が携帯端末２０を持ってかご１に乗っている例を示す。例えば、携帯端末２０に、監視装置８と通信を行うために必要な専用のアプリケーションがインストールされる。携帯端末２０が監視装置８と通信を行う方式は、如何なる方式であっても良い。携帯端末２０は、ＬＡＮ経由で監視装置８と通信しても良いし、電気通信事業者を経由して監視装置８と通信しても良い。
【００１７】
図３は、携帯端末２０の例を示す図である。図３に示すように、携帯端末２０は、例えば表示器２１、マイク２２、スピーカ２３、呼び入力部２４、動作制御部２５、及び通信部２６を備える。
【００１８】
表示器２１、マイク２２、及びスピーカ２３は、例えば携帯端末２０の使用者によって使用される。乗客は、呼び入力部２４からかご１の呼びを入力することができる。動作制御部２５は、携帯端末２０に備えられた機器の動作を制御する。通信部２６は、携帯端末２０の通信機能を司る。
【００１９】
監視装置８は、例えば閉じ込め検出部３０、端末検出部３１、動作制御部３２、端末制御部３３、及び通信部３４を備える。
【００２０】
閉じ込め検出部３０は、かご１に人が閉じ込められたことを検出する。以下においては、かご１に人が閉じ込められたことを単に「閉じ込め」とも言う。閉じ込め検出部３０が閉じ込めの発生を検出する方法は、どのような方法でも良い。例えば、閉じ込め検出部３０は、人がかご１に乗っている状態でかご１が通常の停止位置ではない位置で停止すると、閉じ込めの発生を検出する。例えば、閉じ込め検出部３０は、呼びの登録状況に基づいて、かご１に人が乗っているか否かを判定する。閉じ込め検出部３０は、秤装置（図示せず）が計測した値に基づいて、かご１に人が乗っているか否かを判定しても良い。
【００２１】
端末検出部３１は、通信可能な携帯端末２０を検出する。例えば、携帯端末２０において上記専用のアプリケーションが立ち上げられると、当該携帯端末２０を特定するための識別情報が監視装置８に送信される。端末検出部３１は、監視装置８が受信した識別情報に基づいて、携帯端末２０を検出する。端末検出部３１は、携帯端末２０の検出を他の方法で行っても良い。
【００２２】
動作制御部３２は、エレベーター装置に備えられた機器の動作を制御する。動作制御部３２は、制御装置７を介して機器の動作を制御しても良い。端末制御部３３は、携帯端末２０に備えられた機器の動作を制御する。端末制御部３３は、携帯端末２０の動作制御部２５を介して機器の動作を制御する。通信部３４は、監視装置８の通信機能を司る。
【００２３】
監視センター４０は、例えば表示器４１、マイク４２、スピーカ４３、及び通信部４４を備える。表示器４１、マイク４２、及びスピーカ４３は、例えば監視センター４０にいるオペレータによって使用される。通信部４４は、監視センター４０の通信機能を司る。
【００２４】
以下に、図４から図８も参照し、エレベーター装置の動作と携帯端末２０の動作とについて詳しく説明する。図４から図６は、監視装置８の動作例を示すフローチャートである。
【００２５】
監視装置８では、閉じ込めが発生したか否かが判定される（Ｓ１０１）。閉じ込め検出部３０が閉じ込めの発生を検出していなければ（Ｓ１０１のＮｏ）、制御装置７によって例えば通常運転が行われる。通常運転は、登録されている呼びにかご１を順次応答させる運転である。
【００２６】
図７及び図８は、携帯端末２０の動作例を示すフローチャートである。携帯端末２０において上記専用のアプリケーションが立ち上げられると、通信部２６は、監視装置８を検出したか否かを判定する（Ｓ２０１）。通信部２６は、監視装置８を検出すると、監視装置８と接続できたか否かを判定する（Ｓ２０２）。
【００２７】
携帯端末２０と監視装置８との通信が可能になると、Ｓ２０２でＹｅｓと判定される。Ｓ２０２でＹｅｓと判定されると、携帯端末２０では、例えば呼びの入力が行われたか否かが判定される（Ｓ２０３）。上述したように、乗客は、呼び入力部２４からかご１の呼びを入力することができる。呼び入力部２４から呼びの入力が行われると、通信部２６は、入力に応じた呼び信号を監視装置８に送信する（Ｓ２０４）。制御装置７は、監視装置８が受信した呼び信号に基づいて、かご１の呼びを登録する。
【００２８】
また、Ｓ２０２でＹｅｓと判定されると、通信部２６は、例えば監視装置８から表示信号を受信したか否かを判定する（Ｓ２０５）。通信部２６が監視装置８から表示信号を受信すると、動作制御部２５は、受信した表示信号に基づいて表示器２１にメッセージを表示させる（Ｓ２０６）。Ｓ２０６では、例えば「次の点検は７月３１日です。」といったメッセージが表示器２１に表示される。携帯端末２０がかご１の中に存在する場合は、Ｓ２０６において、例えば「このかごは、５階、８階、及び１２階に停止します。」といったメッセージが表示器２１に表示されても良い。
【００２９】
一方、監視装置８では、閉じ込め検出部３０が閉じ込めの発生を検出すると（Ｓ１０１のＹｅｓ）、動作制御部３２が解消動作を行う（Ｓ１０２）。解消動作は、閉じ込めを解消するための特定の動作である。例えば、動作制御部３２は、解消動作として、ドア１０の開閉動作を行う。動作制御部３２は、解消動作として、安全装置のリセット信号を出力しても良い。動作制御部３２は、解消動作として、機器との通信リトライを行っても良い。解消動作の例は、これらに限定されない。
【００３０】
また、監視装置８では、閉じ込め検出部３０が閉じ込めの発生を検出すると、監視装置８に接続している携帯端末２０が存在するか否かが判定される（Ｓ１０３）。端末検出部３１が携帯端末２０を検出すると、Ｓ１０３でＹｅｓと判定される。Ｓ１０３でＹｅｓと判定されると、端末制御部３３は、Ｓ１０３で端末検出部３１が検出した携帯端末２０に抑制動作を行わせる。抑制動作は、携帯端末２０の使用者に、通話のための発信操作を躊躇させるための特定の動作である。例えば、端末制御部３３は、端末検出部３１が検出した携帯端末２０に対して通信部３４から抑制動作信号を送信させる（Ｓ１０４）。
【００３１】
動作制御部３２による解消動作が終了すると、監視装置８では、閉じ込めが解消されたか否かが判定される（Ｓ１０５）。解消動作が行われることによって閉じ込めが解消すると（Ｓ１０５のＹｅｓ）、通信部３４は、端末検出部３１が検出した携帯端末２０に終了信号を送信する（Ｓ１０６）。終了信号は、携帯端末２０において抑制動作を終了させるための信号である。
【００３２】
監視装置８がＳ１０４で送信した抑制動作信号は、携帯端末２０の通信部２６によって受信される。携帯端末２０では、Ｓ２０２でＹｅｓと判定されると、監視装置８から抑制動作信号を受信したか否かが判定される（Ｓ２０７）。通信部２６が抑制動作信号を受信すると（Ｓ２０７のＹｅｓ）、動作制御部２５は抑制動作を行う（Ｓ２０８）。例えば、動作制御部２５は、抑制動作として、スピーカ２３から音声を連続的に出力させる。動作制御部２５は、抑制動作として、表示器２１にメッセージを表示しても良い。動作制御部２５は、抑制動作として、マイク２２の機能を無効にし、その旨を表示器２１に表示しても良い。
【００３３】
抑制動作が開始されると、携帯端末２０では、終了信号を受信したか否かが判定される（Ｓ２０９）。監視装置８がＳ１０６で送信した終了信号は、通信部２６によって受信される。通信部２６が終了信号を受信すると（Ｓ２０９のＹｅｓ）、動作制御部２５は抑制動作を終了する（Ｓ２１０）。
【００３４】
一方、監視装置８では、解消動作が行われても閉じ込めが解消しなければ（Ｓ１０５のＮｏ）、監視装置８に接続している携帯端末２０が存在するか否かが判定される（Ｓ１０７）。端末検出部３１が携帯端末２０を検出すると、Ｓ１０７でＹｅｓと判定される。Ｓ１０７でＹｅｓと判定されると、通信部３４は、監視センター４０と音声通信を行うための処理を開始する（Ｓ１０８）。その後、通信部３４は、監視センター４０と接続できたか否かを判定する（Ｓ１０９）。
【００３５】
監視センター４０と監視装置８との音声通信が可能になると、Ｓ１０９でＹｅｓと判定される。Ｓ１０９でＹｅｓと判定されると、通信部３４は、端末検出部３１が検出した携帯端末２０に対して呼出しを行う（Ｓ１１０）。端末検出部３１が複数の携帯端末２０を検出していれば、通信部３４は、Ｓ１１０においてその複数の携帯端末２０に対して呼出しを行う。即ち、通信部３４は、Ｓ１１０において、通信可能な全ての携帯端末２０を呼出す。通信部３４は、携帯端末２０への呼出しを行うと、呼出しを行った携帯端末２０が応答したか否かを判定する（Ｓ１１１）。
【００３６】
携帯端末２０では、抑制動作が開始された後に終了信号を受信していなければ、音声着信したか否かが判定される（Ｓ２１１）。音声着信があれば（Ｓ２１１のＹｅｓ）、動作制御部２５は、抑制動作を終了させる（Ｓ２１２）。また、Ｓ２１１でＹｅｓと判定されると、携帯端末２０では、携帯端末２０の使用者がその着信に対する応答操作を行ったか否かが判定される（Ｓ２１３）。携帯端末２０の使用者は、例えば、通話ボタンを押すことによってその音声着信に応答することができる。Ｓ２１３では、例えば、通話ボタンが押されたか否かが判定される。
【００３７】
携帯端末２０の使用者が応答操作を行うと（Ｓ２１３のＹｅｓ）、通信部２６は、監視装置８に対して応答信号を送信する（Ｓ２１４）。Ｓ２１４で応答信号が送信されると、携帯端末２０では、監視装置８と接続できたか否かが判定される（Ｓ２１５）。監視装置８と携帯端末２０との音声通信が可能になると、Ｓ２１５でＹｅｓと判定される。
【００３８】
携帯端末２０がＳ２１４で送信した応答信号は、監視装置８の通信部３４によって受信される。通信部３４が何れかの携帯端末２０から応答信号を受信すると、Ｓ１１１でＹｅｓと判定される。これにより、監視装置８と１台の携帯端末２０との音声通信が可能になる。即ち、この携帯端末２０と監視センター４０との間で、監視装置８を介した音声通信が開始される（Ｓ１１２）。携帯端末２０の使用者は、マイク２２とスピーカ２３とを用いて、監視センター４０にいるオペレータと会話をすることができる。監視センター４０にいるオペレータは、マイク４２とスピーカ４３とを用いて、携帯端末２０の使用者と会話をすることができる。また、Ｓ１１１でＹｅｓと判定されると、Ｓ１１０で呼出しを行った携帯端末２０のうちＳ１１１で応答した携帯端末２０以外の携帯端末２０に対する呼出しがキャンセルされる（Ｓ１１３）。
【００３９】
監視センター４０と携帯端末２０との間で音声通信が開始されると、通信部３４は、監視センター４０から入力される音声を、かご１に備えられたスピーカ１４からも出力させる（Ｓ１１４）。これにより、かご１に乗っている人は、オペレータが話している内容をスピーカ１４から聞くことができる。その後、監視装置８では、監視センター４０との接続が切れたか否かが判定される（Ｓ１１５）。例えば、監視センター４０にいるオペレータが音声通信を切るための特定の操作を行うと、Ｓ１１５でＹｅｓと判定される。Ｓ１１５でＹｅｓと判定されると、通信部３４は、携帯端末２０との接続を切り、携帯端末２０との音声通信を終了させる（Ｓ１１６）。
【００４０】
また、Ｓ１０７でＮｏと判定されると、通信部３４は、監視センター４０と音声通信を行うための処理を開始する（Ｓ１１７）。その後、通信部３４は、監視センター４０と接続できたか否かを判定する（Ｓ１１８）。監視センター４０と監視装置８との音声通信が可能になると、Ｓ１１８でＹｅｓと判定される。Ｓ１１８でＹｅｓと判定されると、監視センター４０とかご１との間で音声通信が開始される（Ｓ１１９）。即ち、かご１にいる人は、マイク１３とスピーカ１４とを用いて、監視センター４０にいるオペレータと会話をすることができる。監視センター４０にいるオペレータは、マイク４２とスピーカ４３とを用いて、かご１にいる人と会話をすることができる。
【００４１】
監視センター４０とかご１との間で音声通信が開始されると、監視装置８では、監視センター４０との接続が切れたか否かが判定される（Ｓ１２０）。Ｓ１２０でＹｅｓと判定されることにより、監視センター４０とかご１との間の音声通信が終了する。
【００４２】
一方、Ｓ２１５で携帯端末２０が監視装置８と接続することにより、この携帯端末２０と監視センター４０との間で、監視装置８を介した音声通信が開始される（Ｓ２１６）。即ち、携帯端末２０の使用者は、マイク２２とスピーカ２３とを用いて、監視センター４０にいるオペレータと会話をすることができる。その後、携帯端末２０では、監視装置８との接続が切れたか否かが判定される（Ｓ２１７）。Ｓ２１７でＹｅｓと判定されることにより、携帯端末２０と監視センター４０との間の音声通信が終了する。Ｓ２１７でＹｅｓと判定されると携帯端末２０の処理はＳ２０２に戻る。
【００４３】
本実施の形態に示す例では、閉じ込め検出部３０が閉じ込めの発生を検出すると、動作制御部３２が解消動作を行う。一方、携帯端末２０では、閉じ込め検出部３０が閉じ込めの発生を検出すると抑制動作が行われる。このため、閉じ込めが発生した直後に、携帯端末２０からレスキュー隊等に連絡が行われることを抑制できる。
【００４４】
携帯端末２０のスピーカ２３から音が流れている時に、人はその携帯端末２０を用いて電話をかけようとは思わない。このため、抑制動作としては、スピーカ２３から音声を連続的に出力させることが好適である。
【００４５】
本実施の形態では、Ｓ２１１でＹｅｓと判定されると、動作制御部２５が抑制動作を終了させる例について説明した。これは一例である。抑制動作を終了させるか否かの判断は、監視装置８側で行われても良い。例えば、端末制御部３３は、通信部３４が監視センター４０との通信を開始する際に、携帯端末２０で行われている抑制動作を終了させる。かかる場合、端末制御部３３は、例えばＳ１０８で処理を開始する時に、抑制動作を終了させるための信号を通信部３４に送信させる。端末制御部３３は、Ｓ１０９でＹｅｓと判定された時に、抑制動作を終了させるための信号を通信部３４に送信させても良い。他の例として、端末制御部３３は、端末検出部３１が検出した携帯端末２０を通信部３４がＳ１１０で呼出す際に、携帯端末２０で行われている抑制動作を終了させても良い。
【００４６】
次に、携帯端末２０が採用可能な他の機能について説明する。図９は、携帯端末２０の他の動作例を示すフローチャートである。図９は、図８のＳ２１５でＹｅｓと判定された後の動作例を示す。
【００４７】
図９に示す動作を実現するため、携帯端末２０にモード設定部２７が更に備えられる。図１０は、表示器２１の表示例を示す図である。図１０は、モード設定部２７が携帯端末２０の動作モードとして難聴モードを設定するためのボタン２７ａを備える例を示す。携帯端末２０の使用者は、表示器２１に表示されたボタン２７ａを押すことにより、携帯端末２０の動作モードを難聴モードに設定することができる。
【００４８】
携帯端末２０と監視センター４０との間で監視装置８を介した音声通信が開始されると（Ｓ２１６）、携帯端末２０では、動作モードが難聴モードに設定されているか否かが判定される（Ｓ２１８）。
【００４９】
例えば、動作モードが難聴モードに設定されていれば（Ｓ２１８のＹｅｓ）、動作制御部２５は、監視センター４０からの音声を示す波形を表示器２１に表示させる（Ｓ２１９）。また、動作制御部２５は、音声信号の入力に合わせて上記波形を変動させる。これにより、携帯端末２０の使用者は、波形が変動しているのを見て、監視センター４０のオペレータが話していることを認識できる。
【００５０】
更に、動作制御部２５は、動作モードが難聴モードに設定されていれば、定型メッセージを音声で送るためのメッセージボタンを表示器２１に表示させる（Ｓ２２０）。そして、携帯端末２０では、メッセージボタンが押されたか否かが判定される（Ｓ２２１）。表示器２１に表示されたメッセージボタンが押されると、押されたメッセージボタンに対応する音声信号が監視センター４０に送信される（Ｓ２２２）。これにより、携帯端末２０の使用者は、ボタン操作によって音声信号を送信することができる。
【００５１】
なお、表示器２１に表示されたメッセージボタンが押された際に、押されたメッセージボタンに対応するデータ信号が監視センター４０に送信されても良い。
【００５２】
本実施の形態では、監視装置８に各種機能が備えられる例について説明した。監視装置８が備える上記機能の一部又は全部は、制御装置７に備えられても良い。
【００５３】
本実施の形態において、符号３０〜３４に示す各部は、監視装置８が有する機能を示す。図１１は、監視装置８のハードウェア資源の例を示す図である。監視装置８は、ハードウェア資源として、例えばプロセッサ５１とメモリ５２とを含む処理回路５０を備える。監視装置８は、メモリ５２に記憶されたプログラムをプロセッサ５１によって実行することにより、符号３０〜３４に示す各部の機能を実現する。
【００５４】
プロセッサ５１は、ＣＰＵ（Ｃｅｎｔｒａｌ  Ｐｒｏｃｅｓｓｉｎｇ  Ｕｎｉｔ）、中央処理装置、処理装置、演算装置、マイクロプロセッサ、マイクロコンピュータ或いはＤＳＰともいわれる。メモリ５２として、半導体メモリ、磁気ディスク、フレキシブルディスク、光ディスク、コンパクトディスク、ミニディスク或いはＤＶＤを採用しても良い。採用可能な半導体メモリには、ＲＡＭ、ＲＯＭ、フラッシュメモリ、ＥＰＲＯＭ及びＥＥＰＲＯＭ等が含まれる。
【００５５】
図１２は、監視装置８のハードウェア資源の他の例を示す図である。図１２に示す例では監視装置８は、例えばプロセッサ５１、メモリ５２、及び専用ハードウェア５３を含む処理回路５０を備える。図１２は、監視装置８が有する機能の一部を専用ハードウェア５３によって実現する例を示す。監視装置８が有する機能の全部を専用ハードウェア５３によって実現しても良い。専用ハードウェア５３として、単一回路、複合回路、プログラム化したプロセッサ、並列プログラム化したプロセッサ、ＡＳＩＣ、ＦＰＧＡ、又はこれらの組み合わせを採用できる。
【００５６】
同様に、符号２４〜２７に示す各部は、携帯端末２０が有する機能を示す。携帯端末２０のハードウェア資源は、図１１に示す例と同様である。携帯端末２０は、ハードウェア資源として、例えばプロセッサとメモリとを含む処理回路を備える。携帯端末２０は、メモリに記憶されたプログラムをプロセッサによって実行することにより、符号２４〜２７に示す各部の機能を実現する。携帯端末２０は、ハードウェア資源として、プロセッサ、メモリ、及び専用ハードウェアを含む処理回路を備えても良い。また、携帯端末２０が有する機能の全部を専用ハードウェアによって実現しても良い。
【産業上の利用可能性】
【００５７】
この発明は、エレベーター装置とエレベーター装置と通信可能な携帯端末とに適用できる。
【符号の説明】
【００５８】
１  かご、  ２  つり合いおもり、  ３  昇降路、  ４  主ロープ、  ５  巻上機、  ６  駆動綱車、  ７  制御装置、  ８  監視装置、  １０  ドア、  １１  モータ、  １２  表示器、  １３  マイク、  １４  スピーカ、  ２０  携帯端末、  ２１  表示器、  ２２  マイク、  ２３  スピーカ、  ２４  呼び入力部、  ２５  動作制御部、  ２６  通信部、  ２７  モード設定部、  ３０  閉じ込め検出部、  ３１  端末検出部、  ３２  動作制御部、  ３３  端末制御部、  ３４  通信部、  ４０  監視センター、  ４１  表示器、  ４２  マイク、  ４３  スピーカ、  ４４  通信部、  ５０  処理回路、  ５１  プロセッサ、  ５２  メモリ、  ５３  専用ハードウェア
【図１】
2019198157.tif 000003
【図２】
2019198157.tif 000004
【図３】
2019198157.tif 000005
【図４】
2019198157.tif 000006
【図５】
2019198157.tif 000007
【図６】
2019198157.tif 000008
【図７】
2019198157.tif 000009
【図８】
2019198157.tif 000010
【図９】
2019198157.tif 000011
【図１０】
2019198157.tif 000012
【図１１】
2019198157.tif 000013
【図１２】
2019198157.tif 000014
【手続補正書】
【提出日】平成30年8月2日(2018.8.2)
【手続補正１】
【補正対象書類名】特許請求の範囲
【補正対象項目名】請求項１
【補正方法】変更
【補正の内容】
【請求項１】
外部の監視センターと通信する監視装置と、
前記監視装置に接続され、エレベーターのかごを駆動する駆動装置を制御する制御装置と、
を備え、
前記監視装置又は前記制御装置は、
閉じ込めの発生を検出する第１検出手段と、
前記第１検出手段が閉じ込めの発生を検出すると、閉じ込めを解消するための第１動作を行う動作制御手段と、
通信可能な携帯端末を検出する第２検出手段と、
前記第１検出手段が閉じ込めの発生を検出すると、前記第２検出手段が検出した携帯端末に第２動作を行わせる端末制御手段と、
を備え、
前記第２動作は、通話のための発信操作を躊躇させるための特定の動作であるエレベーター装置。
【手続補正２】
【補正対象書類名】特許請求の範囲
【補正対象項目名】請求項８
【補正方法】変更
【補正の内容】
【請求項８】
駆動装置を制御する制御装置に接続され且つ外部の監視センターと通信する監視装置と、前記駆動装置が駆動するエレベーターのかごの中で通信可能な通信手段と、
閉じ込めが発生した際に前記監視装置が出力する特定の信号を前記通信手段が受信すると、通話のための発信操作を躊躇させるための特定の動作を行う動作制御手段と、
を備えた携帯端末。
【手続補正３】
【補正対象書類名】明細書
【補正対象項目名】０００７
【補正方法】変更
【補正の内容】
【０００７】
この発明に係るエレベーター装置は、外部の監視センターと通信する監視装置と、監視装置に接続され、エレベーターのかごを駆動する駆動装置を制御する制御装置と、を備える。監視装置又は制御装置は、閉じ込めの発生を検出する第１検出手段と、第１検出手段が閉じ込めの発生を検出すると、閉じ込めを解消するための第１動作を行う動作制御手段と、通信可能な携帯端末を検出する第２検出手段と、第１検出手段が閉じ込めの発生を検出すると、第２検出手段が検出した携帯端末に第２動作を行わせる端末制御手段と、を備える。第２動作は、通話のための発信操作を躊躇させるための特定の動作である。
【手続補正４】
【補正対象書類名】明細書
【補正対象項目名】０００８
【補正方法】変更
【補正の内容】
【０００８】
この発明に係る携帯端末は、駆動装置を制御する制御装置に接続され且つ外部の監視センターと通信する監視装置と駆動装置が駆動するエレベーターのかごの中で通信可能な通信手段と、閉じ込めが発生した際に監視装置が出力する特定の信号を通信手段が受信すると、通話のための発信操作を躊躇させるための特定の動作を行う動作制御手段と、を備える。
【手続補正書】
【提出日】平成30年10月18日(2018.10.18)
【手続補正１】
【補正対象書類名】特許請求の範囲
【補正対象項目名】全文
【補正方法】変更
【補正の内容】
【特許請求の範囲】
【請求項１】
外部の監視センターと通信する監視装置と、
前記監視装置に接続され、エレベーターのかごを駆動する駆動装置を制御する制御装置と、
を備え、
前記監視装置又は前記制御装置は、
閉じ込めの発生を検出する第１検出手段と、
前記第１検出手段が閉じ込めの発生を検出すると、閉じ込めを解消するための第１動作を行う動作制御手段と、
通信可能な携帯端末を検出する第２検出手段と、
前記第１検出手段が閉じ込めの発生を検出すると、前記第２検出手段が検出した携帯端末に第２動作を行わせる端末制御手段と、
前記第１動作が行われても閉じ込めが解消しない場合に、外部の監視センターとの間で通信を開始する通信手段と、
を備え、
前記端末制御手段は、前記第２動作として、前記第２検出手段が検出した携帯端末の第１スピーカから音声を連続的に出力させるエレベーター装置。
【請求項２】
前記端末制御手段は、前記通信手段が前記監視センターの通信を開始する際に前記第２動作を終了させる請求項１に記載のエレベーター装置。
【請求項３】
外部の監視センターと通信する監視装置と、
前記監視装置に接続され、エレベーターのかごを駆動する駆動装置を制御する制御装置と、
を備え、
前記監視装置又は前記制御装置は、
閉じ込めの発生を検出する第１検出手段と、
前記第１検出手段が閉じ込めの発生を検出すると、閉じ込めを解消するための第１動作を行う動作制御手段と、
通信可能な携帯端末を検出する第２検出手段と、
前記第１検出手段が閉じ込めの発生を検出すると、前記第２検出手段が検出した携帯端末に第２動作を行わせる端末制御手段と、
前記第１動作が行われても閉じ込めが解消しない場合に、前記第２検出手段が検出した携帯端末を呼出し、当該携帯端末と外部の監視センターとの間で音声通信を開始させる通信手段と、
を備え、
前記端末制御手段は、前記第２動作として、前記第２検出手段が検出した携帯端末の第１スピーカから音声を連続的に出力させるエレベーター装置。
【請求項４】
前記端末制御手段は、前記第２検出手段が検出した携帯端末を前記通信手段が呼出す際に前記第２動作を終了させる請求項３に記載のエレベーター装置。
【請求項５】
前記第１検出手段は、人がかごに閉じ込められたことを検出し、
前記かごは、第２スピーカを備え、
前記通信手段は、前記第２検出手段が検出した携帯端末と前記監視センターとの間で音声通信が開始されると、前記監視センターからの音声を前記第２スピーカから出力させる請求項３又は請求項４に記載のエレベーター装置。
【請求項６】
駆動装置を制御する制御装置に接続され且つ外部の監視センターと通信する監視装置と、前記駆動装置が駆動するエレベーターのかごの中で通信可能な通信手段と、
スピーカと、
閉じ込めが発生した際に前記監視装置が出力する特定の信号を前記通信手段が受信すると、特定の動作として、前記スピーカから音声を連続的に出力させる動作制御手段と、
表示器と、
難聴モードに設定するためのモード設定手段と、
を備え、
前記動作制御手段は、前記モード設定手段によって難聴モードに設定されている場合に、前記特定の動作が開始された後に前記監視装置を介して音声通信が開始されると、音声信号の入力に合わせて変動する波形を前記表示器に表示させる携帯端末。
【請求項７】
前記かごの呼びを入力するための呼び入力手段を更に備えた請求項６に記載の携帯端末。
【請求項８】
前記動作制御手段は、前記モード設定手段によって難聴モードに設定されている場合に、前記特定の動作が開始された後に前記監視装置を介して音声通信が開始されると、ボタン操作によって音声信号を送信するための表示を前記表示器に行う請求項６又は請求項７に記載の携帯端末。
【手続補正２】
【補正対象書類名】明細書
【補正対象項目名】０００７
【補正方法】変更
【補正の内容】
【０００７】
この発明に係るエレベーター装置は、外部の監視センターと通信する監視装置と、監視装置に接続され、エレベーターのかごを駆動する駆動装置を制御する制御装置と、を備える。監視装置又は制御装置は、閉じ込めの発生を検出する第１検出手段と、第１検出手段が閉じ込めの発生を検出すると、閉じ込めを解消するための第１動作を行う動作制御手段と、通信可能な携帯端末を検出する第２検出手段と、第１検出手段が閉じ込めの発生を検出すると、第２検出手段が検出した携帯端末に第２動作を行わせる端末制御手段と、第１動作が行われても閉じ込めが解消しない場合に、外部の監視センターとの間で通信を開始する通信手段と、を備える。端末制御手段は、第２動作として、第２検出手段が検出した携帯端末の第１スピーカから音声を連続的に出力させる。
【手続補正３】
【補正対象書類名】明細書
【補正対象項目名】０００８
【補正方法】変更
【補正の内容】
【０００８】
この発明に係る携帯端末は、駆動装置を制御する制御装置に接続され且つ外部の監視センターと通信する監視装置と駆動装置が駆動するエレベーターのかごの中で通信可能な通信手段と、スピーカと、閉じ込めが発生した際に監視装置が出力する特定の信号を通信手段が受信すると、特定の動作として、スピーカから音声を連続的に出力させる動作制御手段と、表示器と、難聴モードに設定するためのモード設定手段と、を備える。動作制御手段は、モード設定手段によって難聴モードに設定されている場合に、特定の動作が開始された後に監視装置を介して音声通信が開始されると、音声信号の入力に合わせて変動する波形を表示器に表示させる。
【国際調査報告】
2019198157.tif 000015
2019198157.tif 000016